(57)【要約】【課題】作業員の手の届かない高所で上向きに設置される電球を容易に脱着交換可能な器具を簡単な構造に構成する。【解決手段】軸線を時計回り，反時計回りに回転操作する取手棒１と、電球Ｌのガラス球ｌ１を把持するチャック具２と、横長な支持フレーム３と、捩れ変形乃至は復元可能な螺旋条４とからなり、支持フレーム３を取手棒１の先端側に主動軸１２で片持ちすると共に、チャック具２を支持フレーム３より下向きに従動軸２２で組み付け、螺旋条４を円弧状に湾曲させて主動軸１２，従動軸２２の軸間に掛け渡し、取手棒１の回転操作に伴う主動軸１２の軸回りを螺旋条４で従動軸２２の軸回りとして伝達可能に組み立てた。【選択図】図１
2007157360.tif 000002
【特許請求の範囲】
【請求項１】
作業員が手で持って軸線を時計回り，反時計回りに回転操作する取手棒と、電球のガラス球を把持するチャック具と、横長な支持フレームと、捩れ変形乃至は復元可能な螺旋条とからなり、
主動軸を取手棒の先端側中心に植立し、従動軸をチャック具の底部側中心に植立し、各軸を下方より上方に貫通させて支持フレームで軸回り可能に保持し、且つ、支持フレームを取手棒の先端側に主動軸で片持ちすると共に、チャック具を取手棒と離間位置で支持フレームより下向きに従動軸で組み付け、
各螺旋端を主動軸，従動軸の軸突端に嵌着する螺旋条を円弧状に湾曲させて軸間に掛け渡し、取手棒の回転操作に伴う主動軸の軸回りを螺旋条で従動軸の軸回りとして伝達可能に組み立てたことを特徴とする上向き設置型の電球交換器具。
【請求項２】
断面角筒状の支持フレームと、張出し鍔を柱本体の上部側に設けた二つの円柱駒とを備え、張出し鍔を支持フレームの上部面にあてがうと共に、柱本体を支持フレームの同面に設けた丸穴より筒内に挿置させて各円柱駒を支持フレームで回転可能に保持し、取手棒の主動軸，チャック具の従動軸を各円柱駒の縦方向中心に挿通固定してなることを特徴とする請求項１に記載の上向き設置型の電球交換器具。
【請求項３】
ガラス球の大径な中腹部より口金寄りの小径となる球面部位の横方向に亘る曲線に相応した弯曲軸の下横軸辺、下横軸辺の左右端より相平行方向に折れ曲がって該各端相当部位からガラス球の大径な中腹部に至る縦方向の曲線に相応した弯曲軸の下辺部より直線軸の上辺部にと連続する左右の縦軸辺、各縦軸辺の軸上端から内側に折れ曲がって相対する左右の上横軸辺の各辺部より形成した把持枠一対と、
ガラス球の頂部寄り球面を受入れ可能な窪み部を中央に設けたパッド台とからなり、
上横軸辺をパッド台の側部に設けた受け穴に嵌め込み、縦軸辺の相対する同側の上辺寄り相互をパッド台の側部に渡す引合いバネで引張支持し、下横軸辺を下方に向ける構造により、一対の把持枠をパッド台の両側に対向させて組み付け、従動軸をパッド台の底部中心に植立したチャック具を備えてなることを特徴とする請求項１または２に記載の上向き設置型の電球交換器具。
【発明の詳細な説明】
【技術分野】
【０００１】
本発明は、作業員の手の届かない高所で上向きに設置される電球の交換器具に関するものである。
【背景技術】
【０００２】
従来、電球交換器具としては下向きに取り付けられる電球を脱着交換するもの（特許文献１）、斜め下向き或いは横向きに取り付けられる電球を脱着交換するもの（特許文献２）が知られている。
【０００３】
その下向き、斜め下向きまたは横向きに取り付けられる電球の他に、ホテルや結婚式場等においては略ろうそく形の電球を作業員の手の届かない高所で上向きに設置することが行われている。この上向き設置型の電球を脱着交換するに、従来の電球交換器具では対応できない。
【特許文献１】特開２００３−２７２５６８
【特許文献２】実開昭６４−１９２５４
【発明の開示】
【発明が解決しようとする課題】
【０００４】
本発明の主たる課題は、作業員の手の届かない高所で上向きに設置される電球を容易に脱着交換可能な器具を簡単な構造に構成するところにある。
【０００５】
本発明の別の課題は、作業員の手の届かない高所で上向きに設置される電球を確実に把持可能な器具を構成するところにある。
【課題を解決するための手段】
【０００６】
本願の請求項１は、作業員が手で持って軸線を時計回り，反時計回りに回転操作する取手棒と、電球のガラス球を把持するチャック具と、横長な支持フレームと、捩れ変形乃至は復元可能な螺旋条とからなり、
主動軸を取手棒の先端側中心に植立し、従動軸をチャック具の底部側中心に植立し、各軸を下方より上方に貫通させて支持フレームで軸回り可能に保持し、且つ、支持フレームを取手棒の先端側に主動軸で片持ちすると共に、チャック具を取手棒と離間位置で支持フレームより下向きに従動軸で組み付け、
各螺旋端を主動軸，従動軸の軸突端に嵌着する螺旋条を円弧状に湾曲させて軸間に掛け渡し、取手棒の回転操作に伴う主動軸の軸回りを螺旋条で従動軸の軸回りとして伝達可能に組み立てたことを特徴とする。
【０００７】
本願の請求項２は、断面角筒状の支持フレームと、張出し鍔を柱本体の上部側に設けた二つの円柱駒とを備え、張出し鍔を支持フレームの上部面にあてがうと共に、柱本体を支持フレームの同面に設けた丸穴より筒内に挿置させて各円柱駒を支持フレームで回転可能に保持し、取手棒の主動軸，チャック具の従動軸を各円柱駒の縦方向中心に挿通固定してなることを特徴とする。
【０００８】
本願の請求項３は、ガラス球の大径な中腹部より口金寄りの小径となる球面部位の横方向に亘る曲線に相応した弯曲軸の下横軸辺、下横軸辺の左右端より相平行方向に折れ曲がって該各端相当部位からガラス球の大径な中腹部に至る縦方向の曲線に相応した弯曲軸の下辺部より直線軸の上辺部にと連続する左右の縦軸辺、各縦軸辺の軸上端から内側に折れ曲がって相対する左右の上横軸辺の各辺部より形成した把持枠一対と、
ガラス球の頂部寄り球面を受入れ可能な窪み部を中央に設けたパッド台とからなり、
上横軸辺をパッド台の側部に設けた受け穴に嵌め込み、縦軸辺の相対する同側の上辺寄り相互をパッド台の側部に渡す引合いバネで引張支持し、下横軸辺を下方に向ける構造により、一対の把持枠をパッド台の両側に対向させて組み付け、従動軸をパッド台の底部中心に植立したチャック具を備えてなることを特徴とする。
【発明の効果】
【０００９】
本願の請求項１に係る電球交換器具によれば、旧電球の取外し時は、作業員が取手棒を手で持って高所の上向きに設置されている電球のガラス球を支持フレームより下向きに備え付けられたチャック具で把持した後、取手棒を時計回りに回転操作すると、取手棒の主動軸より円弧状に湾曲した螺旋条が条線を捩り変形，復元しながら反時計回りの回転力をチャック具の従動軸に伝達するため、チャック具で把持した高所の電球をソケットより取り外せる。
【００１０】
新電球の取付け時は、作業員が新電球のガラス球をチャック具で把持させて取手棒で高所に持ち運び、チャック具で把持した電球の口金を高所に設置されているソケットに合わせ、上述したと逆に取手棒を反時計回りに回転操作すると、時計回りの回転力をチャック具の従動軸に伝達できてチャック具で把持した電球の口金をソケットにねじ込め、その後にチャック具を取手棒で上方に移動させれば電球のガラス球より取り外せる。
【００１１】
その電球交換器具は、取手棒，チャック具，支持フレーム，螺旋条を主要部材とし、支持フレームを取手棒の先端側に主動軸で片持ちすると共に、チャック具を支持フレームより下向きに従動軸で組み付け、螺旋条を円弧状に湾曲させて軸間に掛け渡すことから組み立てられるため、電球を脱着交換可能な器具として簡単な構造に構成できる。
【００１２】
本願の請求項２に係る電球交換器具によれば、張出し鍔を支持フレームの上部面にあてがうと共に、柱本体を支持フレームの同面に設けた丸穴より筒内に挿置させて各円柱駒を支持フレームで回転可能に保持し、取手棒の主動軸，チャック具の従動軸を各円柱駒の縦方向中心に挿通固定するため、取手棒の主動軸，チャック具の従動軸を各円柱駒で安定よく軸回り回転させられる。
【００１３】
本願の請求項３に係る電球交換器具によれば、各把持枠がガラス球の大径な中腹部より口金寄りの小径となる球面部位の横方向に亘る曲線に相応した弯曲軸の下横軸辺を有するため、電球のガラス球を受け入れる時にも、作業員が取手棒を手で持ってチャック具を高所の運び、把持枠の円弧状に湾曲した下横軸辺の相互でガラス球の頂部に合わせればチャック具を容易に位置決めできる。
【００１４】
チャック具の位置決め後、作業員がチャック具を取手棒で引き下げると、把持枠が互いに引合いバネで均等に離間するため、電球のガラス球を把持枠の間に容易に受け入れられる。また、ガラス球の大径な中腹部に至る縦方向の曲線に相応した弯曲軸の下辺部を持つ左右の縦軸辺により電球のガラス球を確実に挟み込める。これと共に、パッド台がガラス球の頂部寄りを受け止めることから、上向き設置型の電球でも安定よく確実に着脱交換できる。
【発明を実施するための最良の形態】
【００１５】
図示の電球交換器具は、図１で示すようにガラス球ｌ１と口金ｌ２とからなり、作業者の手が届かない比較的高所で上向きに設置される電球Ｌを着脱交換するものとして構成されている。電球Ｌはガラス球ｌ１の最上点側を頂部と称し、大径部位を中腹部と称し、大径部位より口金ｌ２に向う球面部位を小径部位と称する。
【００１６】
その電球交換器具は、作業員が手で持って軸線を時計回り，反時計回りに回転操作する長尺な取手棒１と、電球Ｌのガラス球ｌ１を把持するチャック具２とを備え、支持フレーム３の片端側を取手棒１の先端側で片持ち支持すると共に、チャック具２を取手棒１と離れた支持フレーム３の他端側で下向きに組み付け、取手棒１の回転操作を主動力としてチャック具２を螺旋条４で従動させられるよう構成されている。
【００１７】
取手棒１は丸パイプ部材でなり、一本の長尺棒または伸縮可能な複数本の繋ぎ棒として備え付けられる。この取手棒１には、先端側に嵌め込むキャップ１０が備え付けられている。キャップ１０は、側面の開孔と嵌り合う出没可能なプランジャ状のボールキー１１を取手棒１の側部に設けることから取手棒１より着脱可能に備え付けられている。
【００１８】
キャップ１０は、取手棒１の先端側に嵌め合せる円筒部１０ａと、円筒部１０ａの開口端に嵌着する閉蓋部１０ｂとから形成されている。そのキャップ１０には、主動軸１２が取手棒１の軸線中心に相応させて閉蓋部１０ｂより上方に立ち上がるよう植立固定されている。
【００１９】
チャック具２は、一対の把持枠２０，２０’と、パッド台２１とを主要部に備えて組み立てられている。
【００２０】
把持枠２０，２０’は、図１と共に、図２ａで示す（片側のみ図示）ように下横軸辺２０ａ，２０ａ’と、下横軸辺２０ａ，２０ａ’の左右端から相平行する上方に折れ曲がる左右の縦軸辺２０ｂ（２０ｃ），２０ｂ’（２０ｃ’）と、各縦軸辺２０ｂ（２０ｃ），２０ｂ’（２０ｃ’）の軸上端から内側に折れ曲がって相対する左右の上横軸辺２０ｄ（２０ｅ），２０ｄ’（２０ｅ’）との各辺部を金属線材より折り曲げることから対共に同じ軸線形状に形成されている。
【００２１】
下横軸辺２０ａは、図２ｂで示すようにガラス球ｌ１の大径な中腹部より口金ｌ２寄りの小径となる球面部位の横方向に亘る曲線に相応した弯曲軸で形成されている。縦軸辺２０ｂ，２０ｃは、図２ｃで示すように下横軸辺２０ａの折れ曲がる各端相当部位よりガラス球ｌ１の大径な中腹部に至る縦方向の曲線に相応した弯曲軸の上辺部を持って直線軸の下辺部にと連続するよう形成されている。
【００２２】
パッド台２１は、図３で示すように鍔付きの底蓋部２１ａを円筒状の外周部２１ｂに嵌め合せることから、ガラス球ｌ１の頂部寄り球面に相当する円周を有する円盤状の樹脂成形品として形成されている。このパッド台２１には、従動軸２２が底蓋部２１ａの底面中心より上方に立ち上がるよう植立固定されている。
【００２３】
パッド台２１には、ガラス球ｌ１の頂部寄り球面を受入れ可能な窪み部２１ｃが外周部２１ｂで設けられている。また、ガラス球ｌ１の頂部寄り球面を受け止める滑止め用の弾性リング２１ｄが窪み部２１ｃの口周りに取り付けられている。この他、後述するように把持枠の上横軸辺を嵌め込む一対の受け穴２１ｅ，２１ｅ’と、把持枠を互いに引張支持する引合いバネの通し穴２１ｆとが相対する二面毎に分けて各側部に設けられている。
【００２４】
チャック具２は、図４ａ並びに図４ｂで示すように一対の把持枠２０，２０’をパッド台２１の両側に対向させて配置することから組み立てられている。
【００２５】
把持枠２０，２０’は、上横軸辺２０ｄ，２０ｅ、２０ｄ’，２０ｅ’をパッド台２の両側部に設けた受け穴（符号なし）に嵌め込んでパッド台２１で支持されている。また、縦軸辺２０ｂ，２０ｃ、２０ｂ’，２０ｃ’の相対する同側２０ｂ，２０ｂ’、２０ｃ，２０ｃ’の下辺寄り相互をパッド台２１の側部に設けた通し穴（符号なし）に渡す引合いバネ２３ａ，２３ｂで引張支持することからパッド台２１の両側に立て付けられている。
【００２６】
支持フレーム３は、両端が閉塞された断面角筒状の金属パイプで形成されている（図４ａ参照）。この支持フレーム３には、張出し鍔３０ａ，３１ａを柱本体３０ｂ，３１ｂの上部側に設けた二つの円柱駒３０，３１が組み付けられている。各円柱駒３０，３１は、張出し鍔３０ａ，３１ａを支持フレーム３の上部面にあてがうと共に、柱本体３０ｂ，３１ｂを支持フレーム３の同面に設けた丸穴より筒内に挿置させて支持フレーム３で回転可能に保持されている。
【００２７】
円柱駒３０，３１には、支持フレーム３の下方より上方に貫通する取手棒１の主動軸１２，チャック具２の従動軸２２を縦方向中心に挿通することから、各軸１２，２２が一体に取付け固定されている。その円柱駒３０，３１により、各軸１２，２２は支持フレーム３で安定よく円滑に軸回り可能に保持されている。これと共に、上述したように支持フレーム３が主動軸１２で取手棒１の先端側に片持ちされ、また、チャック具２が従動軸２２で支持フレーム３より下向きに保持されている。
【００２８】
螺旋条４は、各螺旋端を支持フレーム３より上方に突出する主動軸１２，従動軸２２の軸突端に嵌着することにより円弧状に湾曲させて軸間に掛渡し装着されている。この螺旋条４としては、金属細線から条線を捩り変形，復元可能に形成したものでなり、取手棒１の回転操作に伴う主動軸１２の軸回りを従動軸２２の軸回りに伝達可能に組み付けられている。
【００２９】
このように構成する電球交換器具では、旧電球の取外し時は、作業員が取手棒１を手で持って高所の上向きに設置されている電球Ｌのガラス球ｌ１を支持フレーム３より下向きのチャック具２で把持する。そのチャック具２によるガラス球ｌ１の把持に際し、把持枠２０，２０’の円弧状に湾曲した下横軸辺２０ａ，２０ａ’の相互でガラス球ｌ１の頂部に合わせればチャック具２を容易に位置決めできる。
【００３０】
チャック具２の位置決め後に、作業員がチャック具２を取手棒１で引き下げると、把持枠２０，２０’が互いに引合いバネ２３ａ，２３ｂで均等に離間することから、電球Ｌのガラス球ｌ１を把持枠２０，２０’の間に容易に受け入れられる。また、左右の縦軸辺２０ｂ，２０ｃ、２０ｂ’，２０ｃ’の湾曲した下辺部により電球Ｌのガラス球ｌ１を確実に挟み込める。これと共に、パッド台２１がガラス球ｌ１の頂部寄りを受け止めることから、上向き設置型の電球でもチャック具２で安定よく把持できる。
【００３１】
電球Ｌのガラス球ｌ１をチャック具２で把持したならば、作業者が取手棒１を時計回りに回転操作すると、螺旋条４が円弧状に湾曲した条線を捩り変形，復元しながら反時計回りの回転力を取手棒１の主動軸１２よりチャック具２の従動軸２２に伝達するため、チャック具２で把持した高所の電球をソケットより容易に取り外せる。各軸１２，２２は、支持フレーム３で保持された少なくとも径の大きな円柱駒３０，３１の縦方向中心に挿通固定することから安定よく軸回り回転できる。
【００３２】
電球Ｌをチャック具２で取り外したならば、作業員が取手棒１を持ち下げて電球Ｌを手元まで運んでチャック具２より取り外せばよい。
【００３３】
上述したとは逆に、新電球を取り付けるにあたっては、作業員が新電球をチャック具２に嵌め込み、取付け場所まで取手棒１で持ち運んで口金ｌ２をソケット部に合わせ、上述したと逆の取手棒１を反時計回りに回転操作すると、時計回りの回転力をチャック具２の従動軸２２に伝達できるため、チャック具２で把持した電球の口金をソケットにねじ込めて電球Ｌを高所でも簡単に取り付けられる。
【００３４】
新電球を口金ｌ２でソケット部に螺着したならば、作業員が取手棒１を上方に移動すればチャック具２を電球より容易に外せる。
【図面の簡単な説明】
【００３５】
【図１】本発明に係る電球交換器具を電球の把持状態で示す断面図である。
【図２ａ】図１の電球交換器具に備えられる把持枠を示す正面図である。
【図２ｂ】図２ａの把持枠を示す平面図である。
【図２ｃ】図２ａの把持枠を示す側面図である。
【図３】図１の電球交換器具に備えられるパッド台を示す断面図である。
【図４ａ】図１の電球交換器具を電球の非把持状態で示す平面図である。
【図４ｂ】図１の電球交換器具を電球の非把持状態で示す正面図である。
【符号の説明】
【００３６】
Ｌ            電球
ｌ１          ガラス球
１            取手棒
２            チャック具
２０，２０’    把持枠
２０ａ，２０ａ’    把持枠の下横軸辺
２０ｂ，２０ｃ、２０ｂ’，２０ｃ’    把持枠の縦軸辺
２０ｄ，２０ｅ、２０ｄ’，２０ｅ’    把持枠の上横軸辺
２１          パッド台
２２ａ，２２ｂ    把持枠の引合いバネ
３            支持フレーム
３０，３１    円柱駒
３０ａ，３１ａ      円柱駒の張出し鍔
３０ｂ，３１ｂ      円柱駒の柱本体
４            螺旋条
【図１】
2007157360.tif 000003
【図２ａ】
2007157360.tif 000004
【図２ｂ】
2007157360.tif 000005
【図２ｃ】
2007157360.tif 000006
【図３】
2007157360.tif 000007
【図４ａ】
2007157360.tif 000008
【図４ｂ】
2007157360.tif 000009